(57)【特許請求の範囲】
【請求項１】
転送対象情報を転送先の第２の情報処理装置に送信する送信手段と、
前記送信手段による送信に伴って生成された送信結果画面を示す送信結果画面情報を、前記送信手段による送信履歴を示す送信履歴情報と対応付けて記憶する記憶手段と、
前記記憶手段に記憶された送信結果画面情報に対応する送信結果画面を、前記送信手段による送信履歴と対応付けて表示する送信結果画面表示手段と
を有する情報処理装置。
【請求項２】
前記第２の情報処理装置から前記送信結果画面情報を受信する受信手段
をさらに有し、
前記記憶手段は、前記受信手段によって受信された送信結果画面情報を記憶し、
前記送信結果画面表示手段は、前記受信手段によって受信された送信結果画面情報に対応する送信結果画面を表示する
請求項１に記載の情報処理装置。
【請求項３】
前記送信結果画面表示手段は、前記送信結果画面を、送信処理の履歴を示す送信履歴画面上に表示する
請求項１に記載の情報処理装置。
【請求項４】
前記送信手段による処理の実行中に、当該情報処理装置の処理を、前記送信手段による処理とは異なる処理に遷移させる遷移手段
をさらに有し、
前記記憶手段は、前記遷移手段によって処理が遷移された場合に、前記送信結果画面情報を記憶し、
前記送信結果画面表示手段は、前記遷移手段によって処理が遷移された後に、前記送信結果画面を表示する
請求項１に記載の情報処理装置。
【請求項５】
使用者を認証して、当該使用者が当該情報処理装置を使用可能な状態にする認証手段と、
前記認証手段による使用可能な状態を解除して、当該使用者が当該情報処理装置を使用不可能な状態にする解除手段と
をさらに有し、
前記記憶手段は、前記解除手段によって送信処理を行った使用者が使用不可能な状態となった場合に、前記送信結果画面情報を記憶し、
前記送信結果画面表示手段は、再度、前記認証手段によって、送信処理を行った使用者が使用可能な状態となった場合に、当該使用者がした送信処理に関する前記送信結果画面を表示する
請求項１に記載の情報処理装置。
【請求項６】
前記送信手段による処理の間に表示される画面に前記転送対象情報に関する画像を表示する送信画面表示手段
をさらに有する請求項１に記載の情報処理装置。
【請求項７】
第１の情報処理装置と、
前記第１の情報処理装置から情報を受信して受信した情報に関する処理を行う第２の情報処理装置と
を有し、
前記第１の情報処理装置は、
転送対象情報を前記第２の情報処理装置に送信する送信手段と、
前記送信手段による送信に伴って生成された送信結果画面を示す送信結果画面情報を、前記送信手段による送信履歴を示す送信履歴情報と対応付けて記憶する記憶手段と、
前記記憶手段に記憶された送信結果画面情報に対応する送信結果画面を、前記送信手段による送信履歴と対応付けて表示する送信結果画面表示手段と
を有する
情報処理システム。
【請求項８】
転送対象情報を転送先の第２の情報処理装置に送信する送信ステップと、
前記送信ステップによる送信に伴って生成された送信結果画面を示す送信結果画面情報を、前記送信ステップにおける送信履歴を示す送信履歴情報と対応付けて記憶手段に記憶する記憶ステップと、
前記記憶手段に記憶された送信結果画面情報に対応する送信結果画面を、前記送信履歴と対応付けて表示する送信結果画面表示ステップと
をコンピュータに実行させるプログラム。
【発明の詳細な説明】
【技術分野】
【０００１】
本発明は、情報処理装置、情報処理システムおよびプログラムに関する。
【背景技術】
【０００２】
特許文献１は、操作パネルの限られた表示画面内の表示能力を最大限に生かして、ジョブに関する多くの情報をユーザに対して混乱されることのない形で表示可能な画像データ処理装置を開示する。
特許文献２は、ユーザが転送する画像を選択しながら、仮に選択画像を転送した場合の転送先の記憶領域の残り容量を動的に知ることができるようにする情報処理装置を開示する。
【先行技術文献】
【特許文献】
【０００３】
【特許文献１】特開２００９−２１７８４２号公報
【特許文献２】特開２００５−１８２７６０号公報
【発明の概要】
【発明が解決しようとする課題】
【０００４】
本発明の目的は、送信履歴と対応付けて送信結果画面を記憶することで、送信処理後に使用者が送信結果画面を確認できる情報処理装置を提供することである。
【課題を解決するための手段】
【０００５】
請求項１にかかる本発明は、転送対象情報を転送先の第２の情報処理装置に送信する送信手段と、前記送信手段による送信に伴って生成された送信結果画面を示す送信結果画面情報を、前記送信手段による送信履歴を示す送信履歴情報と対応付けて記憶する記憶手段と、前記記憶手段に記憶された送信結果画面情報に対応する送信結果画面を、前記送信手段による送信履歴と対応付けて表示する送信結果画面表示手段とを有する情報処理装置である。
【０００６】
請求項２にかかる本発明は、前記第２の情報処理装置から前記送信結果画面情報を受信する受信手段をさらに有し、前記記憶手段は、前記受信手段によって受信された送信結果画面情報を記憶し、前記送信結果画面表示手段は、前記受信手段によって受信された送信結果画面情報に対応する送信結果画面を表示する請求項１に記載の情報処理装置である。
【０００７】
請求項３にかかる本発明は、前記送信結果画面表示手段は、前記送信結果画面を、送信処理の履歴を示す送信履歴画面上に表示する請求項１に記載の情報処理装置である。
【０００８】
請求項４にかかる本発明は、前記送信手段による処理の実行中に、当該情報処理装置の処理を、前記送信手段による処理とは異なる処理に遷移させる遷移手段をさらに有し、前記記憶手段は、前記遷移手段によって処理が遷移された場合に、前記送信結果画面情報を記憶し、前記送信結果画面表示手段は、前記遷移手段によって処理が遷移された後に、前記送信結果画面を表示する請求項１に記載の情報処理装置である。
【０００９】
請求項５にかかる本発明は、使用者を認証して、当該使用者が当該情報処理装置を使用可能な状態にする認証手段と、前記認証手段による使用可能な状態を解除して、当該使用者が当該情報処理装置を使用不可能な状態にする解除手段とをさらに有し、前記記憶手段は、前記解除手段によって送信処理を行った使用者が使用不可能な状態となった場合に、前記送信結果画面情報を記憶し、前記送信結果画面表示手段は、再度、前記認証手段によって、送信処理を行った使用者が使用可能な状態となった場合に、当該使用者がした送信処理に関する前記送信結果画面を表示する請求項１に記載の情報処理装置である。
【００１０】
請求項６にかかる本発明は、前記送信手段による処理の間に表示される画面に前記転送対象情報に関する画像を表示する送信画面表示手段をさらに有する請求項１に記載の情報処理装置である。
【００１１】
請求項７にかかる本発明は、第１の情報処理装置と、前記第１の情報処理装置から情報を受信して受信した情報に関する処理を行う第２の情報処理装置とを有し、前記第１の情報処理装置は、転送対象情報を前記第２の情報処理装置に送信する送信手段と、前記送信手段による送信に伴って生成された送信結果画面を示す送信結果画面情報を、前記送信手段による送信履歴を示す送信履歴情報と対応付けて記憶する記憶手段と、前記記憶手段に記憶された送信結果画面情報に対応する送信結果画面を、前記送信手段による送信履歴と対応付けて表示する送信結果画面表示手段とを有する情報処理システムである。
【００１２】
請求項８にかかる本発明は、転送対象情報を転送先の第２の情報処理装置に送信する送信ステップと、前記送信ステップによる送信に伴って生成された送信結果画面を示す送信結果画面情報を、前記送信ステップにおける送信履歴を示す送信履歴情報と対応付けて記憶手段に記憶する記憶ステップと、前記記憶手段に記憶された送信結果画面情報に対応する送信結果画面を、前記送信履歴と対応付けて表示する送信結果画面表示ステップとをコンピュータに実行させるプログラムである。
【発明の効果】
【００１３】
請求項１に係る本発明によれば、送信履歴と対応付けて送信結果画面を記憶することで、送信処理後に使用者が送信結果画面を確認できる情報処理装置を提供できる。
【００１４】
請求項２に係る本発明によれば、請求項１に係る本発明により得られる効果に加えて、使用者が、転送先である第２の情報処理装置によって生成された送信結果画面を確認できる情報処理装置を提供できる。
【００１５】
請求項３に係る本発明によれば、請求項１に係る本発明により得られる効果に加えて、本構成を有しない場合と比較して、使用者が送信結果画面を即座に確認できる情報処理装置を提供できる。
【００１６】
請求項４に係る本発明によれば、請求項１に係る本発明により得られる効果に加えて、送信手段による処理の間に送信手段とは異なる処理に遷移した場合であっても、後で使用者が送信結果画面を確認できる情報処理装置を提供できる。
【００１７】
請求項５に係る本発明によれば、請求項１に係る本発明により得られる効果に加えて、送信処理中に使用者が使用不可能な状態になった場合であっても、後でその使用者が送信結果画面を確認できる情報処理装置を提供できる。
【００１８】
請求項６に係る本発明によれば、請求項１に係る本発明により得られる効果に加えて、送信される転送対象情報を送信直前に確認できる情報処理装置を提供できる。
【００１９】
請求項７に係る本発明によれば、送信履歴と対応付けて送信結果画面を記憶することで、送信処理後に使用者が送信結果画面を確認できる情報処理システムを提供できる。
【００２０】
請求項８に係る本発明によれば、送信履歴と対応付けて送信結果画面を記憶することで、送信処理後に使用者が送信結果画面を確認できるプログラムを提供できる。
【図面の簡単な説明】
【００２１】
【図１】第１の実施形態にかかる情報処理システムを示す図である。
【図２】図１に示した画像処理装置のハードウェア構成を示す図である。
【図３】図１に示した情報処理装置のハードウェア構成を示す図である。
【図４】第１の実施形態にかかる情報処理装置において動作する情報処理プログラムを示すブロック・ダイアグラムである。
【図５】情報処理装置によって生成される送信結果画面を例示する図である。
【図６】第１の実施形態にかかる画像処理装置において動作する画像処理プログラムを示すブロック・ダイアグラムである。
【図７】図６に示した処理遷移部の構成を示す図である。
【図８】情報処理装置からの送信処理画面を例示する図である。
【図９】図６に示した画像読取処理部の構成を示す図である。
【図１０】画像読取画面ＤＢに記憶された画面を例示する図である。
【図１１】更新された送信処理画面を例示する図である。
【図１２】図６に示した画像データ送信処理部の構成を示す図である。
【図１３】送信実行画面を例示する図である。
【図１４】画像処理装置によって生成される送信結果画面を例示する図である。
【図１５】図６に示した送信履歴表示処理部の構成を示す図である。
【図１６】送信履歴画面表示部の処理によって表示される送信履歴画面を例示する図である。
【図１７】第１の実施形態にかかる情報処理システムにおける全体的な処理を示すシーケンス図である。
【図１８】第１の実施形態にかかる画像処理装置における画像データ送信処理以降の処理を示すフローチャートである。
【図１９】第２の実施形態にかかる画像処理装置で動作する画像処理プログラムを示すブロック・ダイアグラムである。
【図２０】図１９に示した画像データ送信処理部の構成を示す図である。
【図２１】図１９に示した送信履歴表示処理部の構成を示す図である。
【図２２】第２の実施形態にかかる画像処理装置における画像データ送信処理以降の処理を示すフローチャートである。
【発明を実施するための形態】
【００２２】
［第１の実施形態］
まず、第１の実施形態を説明する。
図１は、第１の実施形態にかかる情報処理システム１を示す図である。
図１に示すように、情報処理システム１は、第１の情報処理装置である画像処理装置３と、第２の情報処理装置である情報処理装置２とが、インターネット等のネットワーク１００を介して接続されて構成されている。
なお、本実施形態においては、情報処理装置２および画像処理装置３はそれぞれ１つずつとしたが、それぞれ２つ以上であってもよい。
【００２３】
情報処理装置２は、例えばサーバ等であって、情報を受信して受信した情報に関する処理を行う
具体的には、情報処理装置２は、画像処理装置３から画像データ等の情報を受信（アップロード）し、受信した画像データを記憶する。
さらに、情報処理装置２は、ネットワーク１００に接続された端末（図示せず）から情報処理装置２に記憶された画像データの要求があった場合に、その端末に対して、要求された画像データを送信（ダウンロード）する。
画像処理装置３は、記録媒体（原稿）から画像を読み取って画像データを生成する。
さらに、画像処理装置３は、情報処理装置２に対して、画像データ等の転送対象情報を転送（アップロード）する。
【００２４】
図２は、情報処理装置２のハードウェア構成を示す図である。
図２に示すように、情報処理装置２は、ＣＰＵ等の演算部１６２及びメモリ等の記憶部１６４などを含む制御装置１６０と、通信装置１７０と、記録装置１７２と、ユーザインターフェース装置（ＵＩ装置）１８０とから構成される。
つまり、情報処理装置２は、情報処理および他の処理装置又は端末との通信が可能なコンピュータとしてのハードウェア構成部分を有している。
また、以下の各図において、実質的に同じ構成部分および処理には同じ番号が付される。
ＵＩ装置１８０は、ＬＣＤ（Liquid Crystal Display）表示装置あるいはＣＲＴ（Cathode Ray Tube）表示装置等の表示装置およびキーボード・タッチパネルなどを含む。
【００２５】
図３は、画像形成装置３のハードウェア構成を示す図である。
図３に示すように、画像形成装置２は、演算部１６２及び記憶部１６４などを含む制御装置１６０と、通信装置１７０と、記録装置１７２と、ＵＩ装置１８０と、印刷装置１９０と、画像読取装置１９２と、認証装置１９４とから構成される。
ＵＩ装置１８０は、例えばタッチパネルであって、操作画面が表示部に表示され、操作画面に示された操作ボタン等を使用者が押下すると、画像処理装置３は、その操作ボタンに応じた処理を行うようになっている。
印刷装置１９０は、例えばプリンタ等であって、文字データまたは画像データ等を用紙等の記録媒体に印刷する。
画像読取装置１９２は、例えばスキャナ等であって、記録媒体から画像等を読み取って画像データに変換する。
【００２６】
認証装置１９４は、画像処理装置３の使用者がその画像処理装置３を使用できる状態（使用可能状態）にするため、例えば使用者識別子およびパスワード等の入力を受け付けて照合すること等によって認証処理を行い、使用可能状態にする処理（ログイン等）を行う。
さらに、認証装置１９４は、使用者の操作を受け付けることによって使用可能状態を解除し、その使用者が画像処理装置３を使用できない状態（使用不可能状態）にする処理（ログアウト等）を行う。
つまり、画像処理装置３は、情報処理および他の画像処理装置又は端末との通信が可能なコンピュータとしてのハードウェア構成部分を有している。
【００２７】
図４は、第１の実施形態にかかる情報処理装置２において動作する情報処理プログラム２０を示すブロック・ダイアグラムである。
図４に示すように、情報処理プログラム２０は、通信処理部２００、データ受信処理部２２およびデータ提供処理部２６から構成される。
情報処理プログラム２０は、たとえば、記憶媒体１７４（図２）等を介して情報処理装置２に供給され、記憶部１６４に記憶され、情報処理装置２にインストールされたＯＳ（図示せず）上で、情報処理装置２のハードウェア資源を具体的に利用して実行される（以下に示す各ソフトウェアについても同様）。
【００２８】
情報処理プログラム２０において、通信処理部２００は、ネットワーク１００を介して画像処理装置３と通信を行うために必要な処理を行う。
データ受信処理部２２は、画像データ送信許可要求受信部２２２、画像データ送信許可要求解析部２２４、画像データ送信許可送信部２２６、画像データ受信部２３０、画像データ記憶部２３２、送信結果解析部２３４、送信結果画面生成部２３６、および送信結果送信部２３８から構成される。
データ受信処理部２２は、これらの構成部分により、画像処理装置３からデータ（特に画像データ）を受信して記憶するための処理（アップロード）を行うための処理を行う。
【００２９】
画像データ送信許可要求受信部２２２は、画像処理装置３から、この画像処理装置３が画像データを送信してもよいことを示す情報（画像データ送信許可要求）を、ネットワーク１００および通信処理部２００を介して受信する。
また、画像データ送信許可要求受信部２２２は、受信した画像データ送信許可要求を、画像データ送信許可要求解析部２２４に対して出力する。
画像データ送信許可要求解析部２２４は、画像データ送信許可要求から、この画像データ送信許可要求を送信した画像処理装置３の識別子及びアドレスを抽出し、その画像処理装置３からの画像データを受信してよいか否かを判断する。
【００３０】
画像データ送信許可要求解析部２２４は、画像処理装置３からの画像データを受信してよいと判断した場合に、画像データを送信してもよいことを示す情報（画像データ送信許可情報）を、画像データ送信許可送信部２２６に対して出力する。
画像データ送信許可送信部２２６は、画像データ送信許可情報を、画像データ送信許可要求を送信した画像処理装置３に対して、通信処理部２００およびネットワーク１００を介して送信する。
この場合、画像データ送信許可送信部２２６は、画像処理装置３で画像データを送信するための操作に使用される送信処理画面（図８を用いて後述）を示す情報（送信処理画面情報）を、画像処理装置３に対して送信してもよい。
【００３１】
画像データ受信部２３０は、ネットワーク１００および通信処理部２００を介して画像処理装置３から画像データを受信し、画像データ記憶部２３２に記憶する。
送信結果解析部２３４は、画像処理装置３からの画像データの送信結果を解析する。
具体的には、送信結果解析部２３４は、画像データが全て受信されて画像データ記憶部２３２に記憶されたか、画像データが全て受信されたが画像データ記憶部２３２に記憶されなかったか、画像データの一部のみ（またはヘッダデータのみ）が受信され全てのデータを受信できなかったか等を判断する。
また、送信結果解析部２３４は、送信結果を示す情報（送信結果情報）を、送信結果画面生成部２３６に対して出力する。
【００３２】
送信結果画面生成部２３６は、送信結果情報が示す送信結果に対応する画面（送信結果画面）を生成し、その送信結果画面を示す情報（送信結果画面情報）を、送信結果送信部２３８に対して出力する。
送信結果画面生成部２３６は、例えば、送信結果情報に対応する送信結果画面を予め記憶しており、受け入れた送信結果情報に応じて、対応する送信結果画面情報を抽出し、
送信結果送信部２３８に対して出力する。
【００３３】
図５は、情報処理装置２によって生成される送信結果画面を例示する図である。
図５（Ａ）は、送信結果解析部２３４が、画像データが全て受信されて画像データ記憶部２３２に記憶されたと判断した場合に、生成される画面を例示する。
図５（Ｂ）は、送信結果解析部２３４が、画像データが全て受信されたが画像データ記憶部２３２に記憶されなかったと判断した場合に、生成される画面を例示する。
図５（Ｃ）は、送信結果解析部２３４が、画像データの一部のみが受信され全てのデータを受信できなかったと判断した場合に、生成される画面を例示する。
【００３４】
送信結果送信部２３８（図４）は、送信結果画面および送信結果情報を、画像データを送信した画像処理装置３に対して、通信処理部２００およびネットワーク１００を介して送信する。
なお、送信結果画面生成部２３６はなくてもよく、この場合、送信結果解析部２３４は、送信結果情報を送信結果送信部２３８に対して出力し、送信結果送信部２３８は、送信結果情報のみを、画像データを送信した画像処理装置３に対して、通信処理部２００およびネットワーク１００を介して送信する。
この場合、送信結果情報は、画像データ記憶部２３２に画像データが記憶されたか否かに関わらず、画像データの送信が成功したか又は失敗したかを示すようにしてもよい。
なお、データ受信処理部２２は、画像データを記憶するだけでなく、所定の処理を行うようにしてもよい。
例えば、データ受信処理部２２は、受信した画像データに対してＯＣＲ（Optical Character Recognition）処理を施してテキストデータを生成し、記憶（アップロード）された画像データとともに記憶するようにしてもよい。
また、例えば、データ受信処理部２２は、受信された画像データに対して複数の画像処理を施し、その画像処理毎にアップロードされた画像データと関連付けて記憶しておくようにしてもよい。
また、送信結果画面生成部２３６は、図５に示す画面の他、例えば、「受信したファイルのサイズが大きいため画像処理が完了できませんでした。お手数ですが再度解像度を下げて（ファイルサイズを変更して）アップロード下さい」といった通知、または「受信したファイルのフォーマットが正しくありません。お手数ですがXXXのバージョン3.0のフォーマットに変更して再アップロードしてください」といった通知を含む画面を生成してもよい。
【００３５】
データ提供処理部２６は、画像データ要求受信部２６２、画像データ取得部２６４および画像データ送信部２６６から構成される。
データ提供処理部２６は、これらの構成部分により、ネットワーク１００に接続された端末（図示せず）に画像データを提供（ダウンロード）する。
画像データ要求受信部２６２は、端末から、画像データの提供を要求する情報（画像データ要求）を、ネットワーク１００および通信処理部２００を介して受信する。
また、画像データ要求受信部２６２は、画像データ要求を、画像データ取得部２６４に対して出力する。
【００３６】
画像データ取得部２６４は、画像データ要求から画像データの識別子（ファイル名等）を抽出し、その識別子に対応する画像データを画像データ記憶部２３２から取得する。
また、画像データ取得部２６４は、取得した画像データを、画像データ送信部２６６に対して出力する。
画像データ送信部２６６は、取得した画像データを、画像データを要求した端末に対して、通信処理部２００およびネットワーク１００を介して送信する。
【００３７】
図６は、第１の実施形態にかかる画像処理装置３において動作する画像処理プログラム３０を示すブロック・ダイアグラムである。
図６に示すように、画像処理プログラム３０は、通信処理部３００、印刷処理部３０２、ファクシミリ処理部３０４、処理遷移部３１０、送信準備処理部３２、画像読取処理部３４、画像データ送信処理部３６、および送信履歴表示処理部３８から構成される。
なお、通信処理部３００、印刷処理部３０２、ファクシミリ処理部３０４、処理遷移部３１０、送信準備処理部３２、画像読取処理部３４、画像データ送信処理部３６、および送信履歴表示処理部３８は、例えばウェブブラウザ等のアプリケーションソフトウェアによって実現され得る。
【００３８】
画像処理プログラム３０において、通信処理部３００は、ネットワーク１００を介して情報処理装置２と通信を行うために必要な処理を行う。
処理遷移部３１０は、画像処理装置３が有する複数の機能の処理を遷移させる。
印刷処理部３０２は、印刷装置１９０（図３）を制御して、用紙等の記録媒体に画像を印刷するための処理（印刷処理）を行う。
また、印刷処理部３０２は、ＵＩ装置１８０に、印刷処理のための画面（操作画面等）を表示させる。
ファクシミリ処理部３０４は、通信装置１７０を制御して、画像情報をネットワーク１００に接続された装置（図示せず）に送信するための処理（ファクシミリ処理）を行う。
また、ファクシミリ処理部３０４は、ＵＩ装置１８０に、ファクシミリ処理のための画面（操作画面等）を表示させる。
【００３９】
送信準備処理部３２は、記録媒体に形成された画像を示す情報（画像データ）を情報処理装置２に送信して記憶させる（アップロード）ための前処理を行う。
画像読取処理部３４は、画像読取装置１９２を制御して、記録媒体（原稿）に形成された画像を読み取り、画像データを生成するための処理（画像読取処理）を行う。
画像データ送信処理部３６は、画像データを情報処理装置２に送信するための処理（画像データ送信処理）を行う。
送信履歴表示処理部３８は、データを送信した結果（正常に送信されたか、または送信途中でエラーが発生したか等）を示す画面を表示させるための処理（送信履歴表示処理）を行う。
【００４０】
図７は、図６に示した処理遷移部３１０の構成を示す図である。
図７に示すように、処理遷移部３１０は、選択指示受付部３１２、処理指示部３１６、および表示消去指示部２１８から構成される。
処理遷移部３１０において、選択指示受付部３１２は、ＵＩ装置１８０から、選択された処理の指示を示す情報（処理選択情報）を受け付ける。
この処理選択情報は、使用者がＵＩ装置１８０を操作することによって得られる。
また、選択指示受付部３１２は、処理選択情報を、処理指示部３１６および表示消去指示部３１８に対して出力する。
【００４１】
処理指示部３１６は、処理選択情報が示す処理を行う構成部分に対し、対応する処理を行うように指示するための情報（処理実行指示）を、各構成部分に対して出力する。
表示消去指示部２１８は、処理選択情報が示す処理を行う構成部分以外の構成に対し、その処理のための表示をＵＩ装置１８０から消去するように指示するための情報（表示消去指示）を、各構成部分に対して出力する。
例えば、画像処理装置３が「印刷処理」を実行しているときに、ＵＩ装置１８０から「送信履歴表示処理」を選択したことを示す処理選択情報を受け入れた場合を想定する。
この場合、処理指示部３１６は、送信履歴表示処理部３８に対して、送信履歴表示処理を実行するように指示する処理実行指示を出力する。
また、表示消去指示部３１８は、印刷処理部３０２に対し、印刷処理のための画面をＵＩ装置１８０の表示装置から消去させるように指示する表示消去指示を出力する。
【００４２】
なお、実行中であった処理においてＵＩ装置１８０を伴わない処理については、実行中であった処理のための画面がＵＩ装置１８０の表示装置から消去され、遷移された処理が開始されたとしても、途中で中断されずに続行され得る。
例えば、上記の例においては、実行中であった「印刷処理」のうち、ＵＩ装置１８０を伴わない処理（例えば使用者が印刷実行ボタンを押下した後の処理）については、印刷処理のための画面がＵＩ装置１８０の表示装置から消去され、送信履歴表示処理部３８による処理が開始されたとしても、途中で中断されずに続行され得る。
【００４３】
送信準備処理部３２（図６）は、画像データ送信許可要求送信部３２２、画像データ送信許可受信部３２４、送信処理画面記憶部３２６、および送信処理画面表示部３２８から構成される。
送信準備処理部３２において、画像データ送信許可要求送信部３２２は、情報処理装置２に対して、画像データ送信許可要求を、通信処理部３００およびネットワーク１００を介して送信する。
画像データ送信許可受信部３２４は、情報処理装置２から、画像データ送信許可情報を、ネットワーク１００および通信処理部３００を介して受信する。
【００４４】
ここで、情報処理装置２が送信処理画面情報を送信した場合には、画像データ送信許可受信部３２４は、画像データ送信許可情報とともに送信処理画面情報も受信して、送信処理画面情報を送信処理画面記憶部３２６に記憶する。
送信処理画面表示部３２８は、情報処理装置２から受信された送信処理画面情報を送信処理画面記憶部３２６から取得し、対応する送信処理画面をＵＩ装置１８０に表示させる。
なお、送信処理画面情報が情報処理装置２から受信されなかった場合、送信処理画面表示部３２８は、画像処理装置３に予め記憶されている画像読取処理のための画面を、ＵＩ装置１８０に表示させる。
【００４５】
図８は、情報処理装置２からの送信処理画面を例示する図である。
図８に示すように、送信処理画面には、記録媒体から画像を読み取るための操作ボタンＡ１と、送信対象の画像データの識別子である送信ファイル名を表示するファイル名表示部Ａ２と、画像データに関して使用者によって任意に入力されたコメントを表示するコメント欄Ａ３とを含む。
【００４６】
図９は、図６に示した画像読取処理部３４の構成を示す図である。
図９に示すように、画像読取処理部３４は、画像読取指示受付部３４０、画像読取操作画面表示部３４２、画像読取画面データベース（ＤＢ）３４４、画像読取操作受付部３４６、画像読取指示部３４８、画像読取実行画面表示部３５０、画像読取情報受付部３５２、画像データ生成部３５４、画像データ記憶部３５６、および送信処理画面更新部３５８から構成される。
画像読取処理部３４において、画像読取指示受付部３４０は、ＵＩ装置１８０から、記録媒体から画像を読み取るための処理を実行させるように指示することを示す情報（画像読取指示情報）を受け付け、画像読取操作画面表示部３４２に対して出力する。
この画像読取指示情報は、例えば、使用者がＵＩ装置１８０に表示された送信処理画面（図８）の操作ボタンＡ１を押下することによって得られる。
【００４７】
画像読取操作画面表示部３４２は、画像読取指示情報を受け付けると、記録媒体から画像を読み取るための操作画面（画像読取操作画面）に対応する情報を画像読取画面ＤＢ３４４から取得して、この画像読取操作画面を、ＵＩ装置１８０に表示させる。
図１０は、画像読取画面ＤＢ３４４に記憶された画面を例示する図であり、（Ａ）は画像読取操作画面を示し、（Ｂ）は後述する画像読取実行画面を示す。
図１０（Ａ）に示すように、画像読取操作画面は、読み取り対象の画像データの識別子であるファイル名を入力するためのファイル名入力部Ｂ１と、基本的な設定を変更するための操作ボタンＢ２と、コメントを入力するためのコメント入力部Ｂ３と、Ｂ２以外の他の設定を行う画面（図示せず）に遷移するための遷移ボタンＢ４と、画像の読み取りを開始するための開始ボタンＢ５とを含む。
【００４８】
画像読取操作受付部３４６（図９）は、ＵＩ装置１８０から、図１０（Ａ）に示した画像読取操作画面に関する操作を示す情報（画像読取操作情報）を受け付ける。
具体的には、例えば、使用者がファイル名を入力する場合には、使用者がファイル名入力部Ｂ１を押下してＵＩ装置１８０のキーボード等を操作することによって、ファイル名を示す画像読取操作情報が生成される。
また、カラーモードを変更する場合には、使用者が操作ボタンＢ２を押下して所望のカラーモードを選択することによって、所望のカラーモードを示す画像読取操作情報が生成される。
【００４９】
画像読取操作受付部３４６は、例えば、使用者がファイル名入力部Ｂ１またはコメント入力部Ｂ３を操作することによって生成された画像読取操作情報を受け付けた場合は、画像読取操作情報に含まれるファイル名またはコメントを示す情報を、画像データ生成部３５４に対して出力する。
また、画像読取操作受付部３４６は、例えば、使用者が操作ボタンＢ２を操作することによって生成された画像読取操作情報を受け付けた場合は、変更された設定を反映した画像読取操作画面を表示させるように、画像読取操作画面表示部３４２に対して指示する。
また、画像読取操作受付部３４６は、例えば、使用者が遷移ボタンＢ４を操作することによって生成された画像読取操作情報を受け付けた場合は、他の設定画面を表示させるように、画像読取操作画面表示部３４２に対して指示する。
【００５０】
さらに、画像読取操作受付部３４６は、使用者が開始ボタンＢ５を操作することによって生成された画像読取操作情報を受け付けた場合は、その旨を示す信号を、画像読取指示部３４８に対して出力する。
画像読取指示部３４８は、画像読取操作受付部３４６から信号を受け付けると、記録媒体から画像を読み取るように、画像読取装置１９２を制御する。
また、画像読取指示部３４８は、画像の読み取りを開始すると、画像読み取り中であることを示す信号を、画像読取実行画面表示部３５０に対して出力する。
【００５１】
画像読取実行画面表示部３５０は、図１０（Ｂ）に示すように、画像読み取り中であることを示す画面（画像読取実行画面）に対応する情報を画像読取画面ＤＢ３４４から取得し、この画像読取実行画面を、ＵＩ装置１８０に表示させる。
このとき、画像読取実行画面に表示された中止ボタンが使用者によって押下されると、画像読取指示部３４８は、画像の読み取りを中止するように制御して、画像読取実行画面表示部３５０は、画像読取実行画面の表示を消去する。
【００５２】
画像読取情報受付部３５２は、画像読取装置１９２から、記録媒体から画像を読み取ることによって得られた画像読取情報を受け付け、画像データ生成部３５４に対して出力する。
また、画像読取情報受付部３５２は、画像読取情報を受け付けると、画像読取実行画面表示部３５０に対し、画像読取実行画面の表示を消去するように指示する。
画像データ生成部３５４は、画像読取情報に所定の処理を施して画像データを生成し、画像読取操作受付部３４６からのファイル名等を対応付けて、画像データ記憶部３５６に記憶する。
さらに、画像データ生成部３５４は、画像データのサムネイル画像（縮小画像）を生成して、画像データ記憶部３５６に記憶する。
送信処理画面更新部３５８は、送信処理画面表示部３２８に対し、図１１に例示するように、送信処理画面の表示を更新するように指示する。
【００５３】
図１１は、更新された送信処理画面を例示する図である。
図１１に示すように、送信処理画面更新部３５８は、送信処理画面のファイル名表示部Ａ２にファイル名を追加し、コメント欄Ａ３にコメントを追加して表示させる。
また、送信処理画面更新部３５８は、送信処理画面に画像データの縮小画像を追加して表示させる。
さらに、送信処理画面更新部３５８は、送信処理画面に、画像データを情報処理装置２に送信させるための送信ボタンＡ４を追加して表示させる。
【００５４】
図１２は、図６に示した画像データ送信処理部３６の構成を示す図である。
図１２に示すように、画像データ送信処理部３６は、画像データ送信指示受付部３６０、画像データ取得部３６２、画像データ送信部３６４、送信実行画面表示部３６６、送信画面ＤＢ３６８、送信結果受信部３７０、送信結果画面生成部３７２、遷移判断部３７４、および送信結果表示部３７６から構成される。
画像データ送信処理部３６において、画像データ送信指示受付部３６０は、ＵＩ装置１８０から、画像データを情報処理装置２に送信するように指示することを示す情報（画像データ送信指示情報）を受け付け、画像データ取得部３６２に対して出力する。
この画像データ送信指示情報は、例えば、使用者がＵＩ装置１８０に表示された送信処理画面（図１１）の送信ボタンＡ４を押下することによって得られる。
【００５５】
画像データ取得部３６２は、画像データ送信指示情報を受け付けると、画像読取処理部３４の画像データ記憶部３５６から画像データを取得して、画像データ送信部３６４に対して出力する。
なお、画像データ取得部３６２は、記録媒体から読み取った画像でなくとも、予め画像処理装置３に記憶されていた画像データを取得してもよく、または他の装置から画像データを取得してもよい。
【００５６】
画像データ送信部３６４は、画像データを、通信処理部３００およびネットワーク１００を介して、情報処理装置２に対して送信する。
また、画像データ送信部３６４は、画像データの送信を開始すると、画像データ送信中であることを示す信号（画像データ送信中信号）を、送信実行画面表示部３６６に対して出力する。
さらに、画像データ送信部３６４は、画像データの送信を開始すると、画像データ送信中信号を、送信履歴表示処理部３８に対して出力する。
【００５７】
送信実行画面表示部３６６は、画像データが送信中であることを示す画面（送信実行画面）に対応する情報を送信画面ＤＢ３６８から取得し、この送信実行画面を、ＵＩ装置１８０に表示させる。
また、処理遷移部３１０によって、画像処理装置３の処理が送信処理から他の処理に遷移した場合に、送信実行画面表示部３６６は、処理遷移部３１０から表示消去指示を受け付け、送信実行画面の表示を消去する。
なお、他の処理に遷移した場合であっても、画像データ送信部３６４、送信結果受信部３７０、送信結果画面生成部３７２および遷移判断部３７４による一連の送信処理が中断されるわけではなく、これらの処理は続行される。
つまり、画像データの送信中に他の処理に遷移した場合、入出力装置１８０に表示される画面は遷移後の処理に関する画面に切り替わるが、画像データ送信部３６４、送信結果受信部３７０、送信結果画面生成部３７２および遷移判断部３７４による一連の送信処理は、続行される。
【００５８】
図１３は、送信実行画面を例示する図である。
図１３に示すように、送信実行画面は、画像データの送信割合を示すようにしてもよい。
また、送信実行画面には、中止ボタンが表示されており、中止ボタンが使用者によって押下されると、画像データ送信部３６４は、画像データの送信を中止して、送信実行画面表示部３６６は、画像読取実行画面の表示を消去する。
【００５９】
送信結果受信部３７０（図１２）は、情報処理装置２の送信結果送信部２３８から、送信結果情報および送信結果画面情報を、ネットワーク１００および通信処理部３００を介して受信する。
ただし、送信結果送信部２３８が送信結果情報のみを送信した場合には、送信結果受信部３７０は、送信結果画面情報を受信せず、送信結果情報のみを受信する。
また、画像データ送信部３６４が画像データを送信し始めてから所定時間が経過しても、情報処理装置２から送信結果情報を受信できない場合、送信結果受信部３７０は、送信が失敗したことを示す送信結果情報を生成する。
さらに、送信結果受信部３７０は、送信結果情報を受信した場合（または送信結果情報が生成された場合）に、送信結果情報を、送信結果画面生成部３７２および送信履歴表示処理部３８に対して出力する。
また、送信結果受信部３７０は、送信結果情報を受信した場合（または送信結果情報が生成された場合）に、送信実行画面表示部３６６に対し、送信実行画面の表示を消去するように指示する。
【００６０】
送信結果画面生成部３７２は、送信結果情報が示す送信結果に対応する送信結果画面を生成し、その送信結果画面を示す送信結果画面情報を、遷移判断部３７４に対して出力する。
送信結果画面生成部３７２は、例えば、送信結果情報に対応する送信結果画面情報を、送信画面ＤＢ３６８から抽出し、遷移判断部３７４に対して出力する。
なお、情報処理装置２から送信結果画面情報が受信された場合には、送信結果画面生成部３７２は、送信結果画面情報を生成せずに、その情報処理装置２からの送信結果画面情報を、遷移判断部３７４に対して出力する。
【００６１】
遷移判断部３７４は、処理遷移部３１０から処理実行指示または表示消去指示を受け付けて、画像処理装置３の処理が画像データ送信処理のままであるか他の処理（印刷処理等）に遷移しているか否かを判断する。
具体的には、遷移判断部３７４は、送信結果受信部３７０が送信結果情報を受信したときに、画像データ送信処理のままであるか他の処理（印刷処理等）に遷移しているか否かを判断する。
画像処理装置３の処理が画像データ送信処理のままであり他の処理に遷移していないと判断された場合、遷移判断部３７４は、送信結果画面情報を、送信結果表示部３７６に対して出力する。
一方、画像処理装置３の処理が他の処理に遷移したと判断された場合、遷移判断部３７４は、後で送信結果画面を表示させるため、送信結果画面情報を、送信履歴表示処理部３８に対して出力する。
なお、一旦他の処理に遷移したが、判断時点で再び画像データ送信処理に遷移した場合、遷移判断部３７４は、送信結果画面情報を、送信結果表示部３７６に対して出力するようにしてもよい。
【００６２】
送信結果表示部３７６は、送信結果画面情報に対応する送信結果画面を、ＵＩ装置１８０に表示させる。
なお、送信結果表示部３７６は、送信結果画面を表示させたら、対応する送信結果画面情報を削除してもよい。
図１４は、画像処理装置３によって生成される送信結果画面を例示する図である。
図１４（Ａ）は、情報処理装置２から受信された送信結果情報が、画像データの送信が成功したことを示す場合に、生成される画面を例示する。
図１４（Ｂ）は、情報処理装置２から受信された送信結果情報が、画像データの送信が失敗したことを示す場合に、生成される画面を例示する。
【００６３】
図１５は、図６に示した送信履歴表示処理部３８の構成を示す図であり、（Ａ）は、送信履歴表示処理部３８の構成を示し、（Ｂ）は、後述する送信履歴・送信結果画面対応記憶部３９２に記憶される情報を例示する。
図１５（Ａ）に示すように、送信履歴表示処理部３８は、送信結果画面記憶処理部３８０、送信結果画面記憶部３８２、送信履歴生成部３８４、送信結果画面追加処理部３８６、送信履歴画面ＤＢ３８８、送信履歴画面表示部３９０、および送信履歴・送信結果画面対応記憶部３９２から構成される。
送信履歴表示処理部３８において、送信結果画面記憶処理部３８０は、画像データ送信処理部３６の遷移判断部３７４から送信結果画面情報を受け付け、送信結果画面記憶部３８２に記憶する。
【００６４】
送信履歴生成部３８４は、画像データ送信処理部３６の画像データ送信部３６４から画像データ送信中信号を受け付け、送信結果受信部３７０から送信結果情報を受け付ける。
さらに、送信履歴生成部３８４は、各画像データについて、画像データ送信中信号または送信結果情報に対応した送信処理の履歴を示す送信履歴情報を生成し、送信結果画面追加処理部３８６に対して出力する。
例えば、送信履歴生成部３８４は、ある画像データについて、画像データ送信中信号を受け付けたが送信結果情報を受け付けていない場合、その画像データについて「送信中」であることを示す送信履歴情報を生成する。
また、例えば、送信履歴生成部３８４は、ある画像データについて、送信に失敗したことを示す送信結果情報を受け付けた場合、その画像データについて「送信エラー」であることを示す送信履歴情報を生成する。
【００６５】
送信結果画面追加処理部３８６は、送信履歴画面ＤＢ３８８から、送信履歴画面を示す情報（送信履歴画面情報）を抽出し、受け付けた送信履歴情報に対応する表示をするように、送信履歴画面情報を修正する。
具体的には、送信結果画面追加処理部３８６は、送信履歴画面のどの位置に送信結果画面を表示させるかを指定して、その位置情報を送信履歴画面情報に追加する。
さらに、送信結果画面追加処理部３８６は、送信結果画面記憶部３８２から、各画像データに関する送信結果画面情報を抽出し、その送信結果画面情報に対応する送信結果画面が送信履歴画面の各画像データの欄に表示されるように処理する。
つまり、送信結果画面追加処理部３８６は、送信結果画面情報と、送信履歴情報とを対応付け、図１５（Ｂ）に例示する送信履歴・送信結果画面対応情報を、送信履歴・送信結果画面対応記憶部３９２に記憶する。
図１５（Ｂ）は、送信履歴・送信結果画面対応情報を例示する図である。
図１５（Ｂ）に示すように、送信履歴・送信結果画面対応情報は、各送信履歴を示す送信履歴情報＃１，＃２，＃３・・・を含み、各送信履歴情報は、ファイル名等を含む送信履歴識別情報と、送信の状態（「エラー」、「送信済」等）を示す状態情報と、この送信履歴に対応する送信結果画面の識別情報とを含む。
なお、送信結果画面追加処理部３８６は、送信結果画面の縮小画像が送信履歴画面の各画像データの欄に表示されるように処理してもよい。
【００６６】
送信履歴画面表示部３９０は、処理遷移部３１０から「送信履歴表示処理」を示す処理実行指示を受け付けた場合に、送信結果画面追加処理部３８６の処理によって送信結果画面が追加された送信履歴画面を、ＵＩ装置１８０に表示させる。
具体的には、送信履歴画面表示部３９０は、送信履歴・送信結果画面対応記憶部３９２から送信履歴・送信結果画面対応情報を抽出し、各送信履歴情報に含まれる送信結果画面識別情報に対応する送信結果画面情報を、送信結果画面記憶部３８２から抽出する。
さらに、送信履歴画面表示部３９０は、送信履歴画面ＤＢ３８８から、送信履歴画面情報を抽出し、所定の位置に送信履歴識別情報（ファイル名等）と状態情報とを表示させ、送信結果画面追加処理部３８６によって指定された位置に送信結果画面を表示させる。
また、送信履歴画面表示部３９０は、画像処理装置３の処理が他の処理（印刷処理等）に遷移したため処理遷移部３１０から表示消去指示を受け付けた場合に、送信履歴画面の表示を消去する。
【００６７】
図１６は、送信履歴画面表示部３９０の処理によって表示される送信履歴画面を例示する図である。
送信履歴画面は、画像データの識別子であるファイル名を表示するファイル名表示部Ｄ１と、その画像データの送信状況を示す送信状況表示部Ｄ２と、その画像データに関する送信結果画面Ｄ３〜Ｄ５を含む。
ここで、ファイル名「ＡＢＣ」の画像データについては、送信処理後に情報処理装置２から画像データの送信が成功したことを示す送信結果情報が受信され、送信結果画面情報が受信されなかった。
したがって、送信結果画面Ｄ３に示すように、図１４（Ａ）に示す画像処理装置３によって生成された送信結果画面が表示されている。
【００６８】
また、ファイル名「ＤＥＦ」の画像データについては、送信処理後に情報処理装置２から送信結果画面情報が受信された。
したがって、送信結果画面Ｄ４に示すように、図５（Ｂ）に示す情報処理装置２によって生成された送信結果画面が表示されている。
なお、送信状況表示部Ｄ２には「エラー」と表示されているのみであるが、送信結果画面Ｄ４には「ファイルを受信しましたが容量不足のため格納できませんでした」などとエラーの詳細が表示されている。
また、ファイル名「ＧＨＩ」の画像データについては、送信処理後に情報処理装置２から送信結果画面情報が受信された。
したがって、送信結果画面Ｄ５に示すように、図５（Ａ）に示す情報処理装置２によって生成された送信結果画面が表示されている。
また、ファイル名「ＪＫＬ」の画像データについては、送信処理後に情報処理装置２から「送信済」を示す送信結果情報が受信され、さらに、送信結果画面情報が受信された。
したがって、送信状況表示部Ｄ２には「送信済」と表示されているが、送信結果画面Ｄ６に示すように、図５（Ｂ）に示す情報処理装置２によって生成された送信結果画面が表示されている。
このように、送信結果が「送信済」である場合であっても、情報処理装置２が画像データを受信した後の処理が失敗となった場合に、後から使用者が送信結果画面を確認することによって、実際には情報処理装置２において処理が失敗となったことを把握し得る。
【００６９】
図１７は、第１の実施形態にかかる情報処理システム１における全体的な処理を示すシーケンス図（Ｓ１０）である。
なお、以下に示すステップの順序は、適宜、変更してもよく、また、全てのステップが必要であるとは限らない（以下に示すフローチャート等においても同様）。
ステップ１００（Ｓ１００）において、画像処理装置３の画像データ送信許可要求送信部３２２は、情報処理装置２に対して、画像データ送信許可要求を送信する。
ステップ１０２（Ｓ１０２）において、情報処理装置２の画像データ送信許可送信部２２６は、画像処理装置３に対して、画像データ送信許可を送信する。
【００７０】
ステップ１０４（Ｓ１０４）において、画像処理装置３は、記録媒体から画像を読み取り、画像データを生成する。
ステップ１０６（Ｓ１０６）において、画像処理装置３は、画像データを情報処理装置２に対して送信する。
ステップ１０８（Ｓ１０８）において、情報処理装置２は、画像処理装置３から受信した画像データを記憶する。
【００７１】
ステップ１１０（Ｓ１１０）において、情報処理装置２は、画像処理装置３に対し、送信結果情報を送信する。
ステップ１１２（Ｓ１１２）において、画像処理装置３は、使用者の操作に応じて、印刷処理等の画像データ送信処理とは異なる他の処理に遷移し、その処理を実行する。
なお、このＳ１１２はなくてもよい。
ステップ１１４（Ｓ１１４）において、画像処理装置３の送信履歴表示処理部３８は、送信結果画面が追加された送信履歴画面をＵＩ装置１８０に表示させる。
【００７２】
図１８は、第１の実施形態にかかる画像処理装置３における画像データ送信処理以降の処理を示すフローチャート（Ｓ２０）である。
ステップ２００（Ｓ２００）において、画像データ送信指示受付部３６０は、ＵＩ装置１８０から、画像データ送信指示情報を受け付けたか否かを判断し、受け付けた場合、処理はＳ２０２に進み、受け付けていない場合、処理はＳ２００に維持される。
ステップ２０２（Ｓ２０２）において、画像データ送信部３６４は、画像データを情報処理装置２に対して送信する。
【００７３】
ステップ２０４（Ｓ２０４）において、送信結果受信部３７０は、画像データの送信処理が終了したか否か判断し、送信処理が終了していない場合、処理はＳ２０６に進み、送信が終了した場合、処理はＳ２１０に進む。
ステップ２０６（Ｓ２０６）において、送信実行画面表示部３６６は、画像処理装置３の処理が送信処理から他の処理に遷移したか否かを判断し、他の処理に遷移していない場合、処理はＳ２０８に進み、他の処理に遷移した場合、処理はＳ２０９に進む。
ステップ２０８（Ｓ２０８）において、送信実行画面表示部３６６は、送信実行画面（図１３）をＵＩ装置１８０に表示させる。
ステップ２０９（Ｓ２０９）において、送信実行画面表示部３６６は、送信実行画面の表示を消去し、遷移後の他の処理に関する画面を表示させる。
ステップ２１０（Ｓ２１０）において、送信結果画面生成部３７２は、情報処理装置２から送信結果画面情報を受信したか否かを判断し、受信した場合、処理はＳ２１４に進み、受信していない場合、処理はＳ２１２に進む。
ステップ２１２（Ｓ２１２）において、送信結果画面生成部３７２は、送信結果情報に対応する送信結果画面を生成する。
【００７４】
ステップ２１４（Ｓ２１４）において、遷移判断部３７４は、画像処理装置３の処理が他の処理（印刷処理等）に遷移しているか否かを判断する。
他の処理に遷移した場合、処理はＳ２１８に進み、他の処理に遷移していない場合（つまり画像データ送信処理のままである場合）、処理はＳ２１６に進む。
ステップ２１６（Ｓ２１６）において、送信結果表示部３７６は、送信結果画面をＵＩ装置１８０に表示させる。
【００７５】
ステップ２１８（Ｓ２１８）において、送信結果画面記憶処理部３８０は、送信結果画面情報を送信結果画面記憶部３８２に記憶する。
ステップ２２０（Ｓ２２０）において、送信履歴画面表示部３９０は、処理遷移部３１０から「送信履歴表示処理」を示す処理実行指示を受け付けたか否かを判断する。
受け付けた場合、処理はＳ２２２に進み、受け付けない場合、処理はＳ２２０に維持される。
ステップ２２２（Ｓ２２２）において、送信履歴画面表示部３９０は、送信結果画面が追加された送信履歴画面を、ＵＩ装置１８０に表示させる。
【００７６】
なお、第１の実施形態においては、画像データ送信中に認証装置１９４によって使用可能状態から使用不可能状態に遷移した場合（例えばログイン状態からログアウト状態に遷移した場合等）に、送信結果画面を表示させないようにしてもよい。
つまり、画像データ送信中に使用可能状態から使用不可能状態に遷移し、情報処理装置２から送信結果画面情報を受信したときに使用不可能状態であった場合に、送信結果受信部３７０は、受信した送信結果画面情報を削除してもよく、さらに、送信結果画面生成部３７２および送信結果表示部３７６は、処理を行わなくてもよい。
この場合、送信結果画面記憶処理部３８０は、送信結果画面情報を送信結果画面記憶部３８２に記憶しなくてもよく、送信履歴画面表示部３９０は送信結果画面が追加されていない送信履歴画面を、ＵＩ装置１８０に表示させてもよい。
【００７７】
さらに、画像データ送信中に使用可能状態から使用不可能状態に遷移し、情報処理装置２から送信結果画面情報を受信したときに使用不可能状態であった場合に、送信結果受信部３７０は、受信した送信結果画面情報を削除し、送信結果画面生成部３７２は、情報処理装置２から送信結果画面情報を受信した場合であっても、図１４に示す送信結果画面に対応する送信結果画面情報を生成してもよい。
この場合、送信履歴画面表示部３９０は、情報処理装置２から送信結果画面情報を受信した場合であっても、画像処理装置３によって生成された送信結果画面が追加された送信履歴画面を、ＵＩ装置１８０に表示させてもよい。
【００７８】
［第２の実施形態］
次に、第２の実施形態を説明する。
第２の実施形態にかかる情報処理システムは、第１の実施形態にかかる情報処理システム１と同様の構成を有している。
また、情報処理装置２は、図４に示した情報処理プログラム２０と同様のプログラムを記憶している。
【００７９】
図１９は、第２の実施形態にかかる画像処理装置３で動作する画像処理プログラム４０を示すブロック・ダイアグラムである。
図１９に示すように、画像処理プログラム４０は、通信処理部３００、印刷処理部３０２、ファクシミリ処理部３０４、処理遷移部３１０、送信準備処理部３２、画像読取処理部３４、画像データ送信処理部４６、および送信履歴表示処理部４８から構成される。
なお、画像データ送信処理部４６および送信履歴表示処理部４８は、例えばウェブブラウザ等のアプリケーションソフトウェアによって実現され得る。
なお、通信処理部３００等、第１の実施形態と同様の構成については、説明を省略する（他の構成部分についても同様）。
【００８０】
図２０は、図１９に示した画像データ送信処理部４６の構成を示す図である。
図２０に示すように、画像データ送信処理部４６は、画像データ送信指示受付部３６０、画像データ取得部３６２、画像データ送信部３６４、送信実行画面表示部４６６、送信画面ＤＢ３６８、送信結果受信部３７０、送信結果画面生成部３７２、使用可能状態判断部４７４、および送信結果表示部３７６から構成される。
送信実行画面表示部４６６は、第１の実施形態にかかる送信実行画面表示部３６６と同様に、送信実行画面をＵＩ装置１８０に表示させ、処理遷移部３１０によって、画像処理装置３の処理が送信処理から他の処理に遷移した場合に、処理遷移部３１０から表示消去指示を受け付け、送信実行画面の表示を消去する。
また、送信実行画面表示部４６６は、認証装置１９４から情報を受け付けて、使用者の使用可能状態が遷移したか否かを判断する。
具体的には、送信実行画面表示部４６６は、送信実行画面が表示されている間、認証装置１９４から使用可能状態にある使用者の識別情報を取得し、送信処理を行った使用者の識別情報と一致するか否かを判断する。
使用可能状態にある使用者の識別情報と、画像データ送信部３６４が画像データを送信したときに使用可能状態にある使用者の識別情報とが一致しないと判断された場合（つまり送信処理を行った使用者が使用不可能状態（ログアウト状態）にある場合）、送信実行画面表示部４６６は、送信実行画面の表示を消去させる。
なお、送信処理を行った使用者が使用不可能状態となった場合であっても、画像データ送信部３６４、送信結果受信部３７０、送信結果画面生成部３７２および遷移判断部３７４による一連の送信処理が中断されるわけではなく、これらの処理は続行される。
【００８１】
使用可能状態判断部４７４は、認証装置１９４から情報を受け付けて、使用者の使用可能状態が遷移したか否かを判断する。
具体的には、使用可能状態判断部４７４は、送信結果受信部３７０が送信結果情報を受信したときに、認証装置１９４から使用可能状態にある使用者の識別情報を取得し、送信処理を行った使用者の識別情報と一致するか否かを判断する。
送信結果受信部３７０が送信結果情報を受信したときに使用可能状態にある使用者の識別情報と、画像データ送信部３６４が画像データを送信したときに使用可能状態にある使用者の識別情報とが一致すると判断された場合（つまり送信処理を行った使用者が使用可能状態にある場合）、使用可能状態判断部４７４は、送信結果画面情報を、送信結果表示部３７６に対して出力する。
【００８２】
一方、送信結果受信部３７０が送信結果情報を受信したときに使用可能状態にある使用者の識別情報と、画像データ送信部３６４が画像データを送信したときに使用可能状態にある使用者の識別情報とが一致しないと判断された場合（つまり送信処理を行った使用者が使用不可能状態にある場合）、使用可能状態判断部４７４は、後で送信結果画面を表示させるため、送信結果画面情報を、送信処理を行った使用者の識別情報と対応付けて、送信履歴表示処理部４８に対して出力する。
また、どの使用者も使用可能でない場合（つまりだれもログインしていない場合）も、使用可能状態判断部４７４は、送信結果画面情報を、送信履歴表示処理部４８に対して出力する。
なお、一旦、送信処理を行った使用者が使用可能状態を解除して使用不可能状態となったが、その後、再度、その使用者が認証処理を行ったことにより使用可能状態となった場合、使用可能状態判断部４７４は、送信結果画面情報を、送信結果表示部３７６に対して出力するようにしてもよい。
【００８３】
図２１は、図１９に示した送信履歴表示処理部４８の構成を示す図であり、（Ａ）は、送信履歴表示処理部４８の構成を示し、（Ｂ）は、後述する送信履歴・送信結果画面対応記憶部４９２に記憶される情報を例示する。
図２１に示すように、送信履歴表示処理部４８は、送信結果画面記憶処理部４８０、送信結果画面記憶部３８２、送信履歴生成部３８４、送信結果画面追加処理部４８６、送信履歴画面ＤＢ３８８、送信履歴画面表示部４９０、および送信履歴・送信結果画面対応記憶部３９２から構成される。
送信履歴表示処理部４８において、送信結果画面記憶処理部４８０は、画像データ送信処理部４６の使用可能状態判断部４７４から、送信結果画面情報と、その送信結果画面情報に対応する送信処理を行った使用者の識別情報とを受け付け、これらの情報を対応付けて、送信結果画面記憶部３８２に記憶する。
【００８４】
送信結果画面追加処理部４８６は、第１の実施形態にかかる送信結果画面追加処理部３８６と同様の処理を行う。
さらに、送信結果画面追加処理部３８６は、送信結果画面情報と、送信履歴情報と、送信処理の操作を行った使用者の識別情報とを対応付け、図２１（Ｂ）に例示する送信履歴・送信結果画面対応情報を、送信履歴・送信結果画面対応記憶部４９２に記憶する。
図２１（Ｂ）は、送信履歴・送信結果画面対応情報を例示する図である。
図２１（Ｂ）に示すように、送信履歴・送信結果画面対応情報は、各送信履歴を示す送信履歴情報＃１，＃２，＃３・・・を含み、各送信履歴情報は、ファイル名等を含む送信履歴識別情報と、送信処理の操作を行った使用者の識別情報と、状態情報と、この送信履歴に対応する送信結果画面の識別情報とを含む。
送信履歴画面表示部４９０は、処理遷移部３１０から「送信履歴表示処理」を示す処理実行指示を受け付けた場合に、その時点で使用可能状態にある使用者が過去にした送信処理に関する送信履歴画面（送信結果画面が追加されている）を、ＵＩ装置１８０に表示させる。
具体的には、送信履歴画面表示部４９０は、送信履歴・送信結果画面対応記憶部４９２から送信履歴・送信結果画面対応情報を抽出し、使用可能状態にある使用者に関する各送信履歴情報に含まれる送信結果画面識別情報に対応する送信結果画面情報を、送信結果画面記憶部３８２から抽出する。
さらに、送信履歴画面表示部４９０は、送信履歴画面ＤＢ３８８から、送信履歴画面情報を抽出し、所定の位置に送信履歴識別情報（ファイル名等）と状態情報とを表示させ、送信結果画面追加処理部４８６によって指定された位置に送信結果画面を表示させる。
また、送信履歴画面表示部３９０と同様に、送信履歴画面表示部４９０は、画像処理装置３の処理が他の処理（印刷処理等）に遷移したため処理遷移部３１０から表示消去指示を受け付けた場合に、送信履歴画面の表示を消去する。
【００８５】
図２２は、第２の実施形態にかかる画像処理装置３における画像データ送信処理以降の処理を示すフローチャート（Ｓ４０）である。
なお、図１８に示した処理と同様の処理については、説明を省略する。
ステップ４０２（Ｓ４０２）において、送信実行画面表示部４６６は、送信処理を行った使用者が使用不可能状態にあるか否かを判断し、使用不可能状態である場合、処理はＳ４０４に進み、使用可能状態である場合、処理はＳ２０６に進む。
ステップ４０４（Ｓ４０４）において、送信実行画面表示部４６６は、送信実行画面の表示を消去させる。
ステップ４１２（Ｓ４１２）において、使用可能状態判断部４７４は、送信処理を行った使用者が使用可能状態にあるか否かを判断する。
その使用者が使用可能状態にある場合、処理は２１６に進み、その使用者が使用不可能状態にある場合、処理はＳ４１４に進む。
【００８６】
ステップ４１４（Ｓ４１４）において、送信結果画面記憶処理部３８０は、送信結果画面情報と送信処理を行った使用者の識別情報とを対応付けて送信結果画面記憶部３８２に記憶する。
ステップ４１６（Ｓ４１６）において、送信履歴画面表示部４９０は、送信処理を行った使用者が、再度、使用可能状態にあるか否かを判断する。
その使用者が使用可能状態にある場合、処理は２２０に進み、その使用者が未だに使用不可能状態にある場合、処理はＳ４１６に維持される。
ステップ４２０（Ｓ４２０）において、送信履歴画面表示部３９０は、その使用者がした送信処理に関する送信履歴画面（送信結果画面が追加されている）を、ＵＩ装置１８０に表示させる。
【００８７】
［変形例］
なお、上記実施形態においては、送信結果画面は送信履歴画面に表示されるとしたが、送信結果画面は、送信履歴画面に表示されなくてもよく、送信処理に関する画面とは異なる画面（例えば印刷処理に関する画面）に表示させてもよい。
また、送信結果画面は、送信済みのときに生成される画面だけでなく、送信中を示す画面（図１３）を含んでもよい。
このとき、情報処理装置２は、送信処理中に、複数の段階において、送信中を示す画面に関する送信結果画面に関する送信結果画面情報を、画像処理装置３に対して送信してもよい。
つまり、「送信結果画面」は、情報処理装置２が画像データを受信したときに対応する画面だけでなく、情報処理装置２が画像データを受信している間に画像処理装置３に対して送信される画面も含む。
また、この場合、送信履歴表示処理部３８，４８は、送信処理中（情報処理装置２が画像データを受信している間）に対応する画面の情報も記憶してもよく、その後、情報処理装置２から画像データを受信したときに対応する画面が受信された場合に、その送信処理中に対応する画面を消去してもよい。
また、送信履歴表示処理部３８，４８は、処理が遷移する直前、または使用状態が使用不可能状態になる直前に表示されていた送信結果画面を記憶するようにしてもよい。
【００８８】
また、上記実施形態においては、画像データが、画像処理装置３から情報処理装置２に対してされるとしたが、送信されるデータは、画像データでなくてもよく、例えばテキストデータ等であってもよい。
この場合、第１の情報処理装置は、画像処理を行う画像処理装置でなくてもよい。
また、送信結果画面および送信履歴画面は、画像処理装置３のＵＩ装置１８０に表示されるとしたが、画像処理装置３が、ネットワーク１００を介して接続されたＰＣ等の端末に、送信結果画面情報および送信履歴画面情報（または送信履歴情報）を送信し、その端末が、表示装置（ディスプレイ等）に送信結果画面および送信履歴画面を表示させるようにしてもよい。
また、「送信結果画面情報」に対応する画面は、送信結果画面の縮小画像を含んでもよい。
さらに、「送信結果画面情報」は、送信結果画面そのものを示す情報（例えばビットマップ形式等のバイナリデータのみの情報）でなくともよく、例えば、送信結果画面に含まれるメッセージ等の情報をテキストデータとして別個に構成し、画像処理装置３の入出力装置１８０に表示する際に、そのメッセージ等を送信結果画面の所定の位置に表示させるようにするための情報であってもよい。
【符号の説明】
【００８９】
１・・・情報処理システム，
２・・・情報処理装置，
３・・・画像処理装置，
３０・・・画像処理プログラム，
３００・・・通信処理部，
３０２・・・印刷処理部，
３０４・・・ファクシミリ処理部，
３１０・・・処理遷移部，
３２・・・送信準備処理部，
３４・・・画像読取処理部，
３６・・・画像データ送信処理部，
３６０・・・画像データ送信指示受付部，
３６２・・・画像データ取得部，
３６４・・・画像データ送信部，
３６６・・・送信実行画面表示部，
３６８・・・送信画面ＤＢ，
３７０・・・送信結果受信部，
３７２・・・送信結果画面生成部，
３７４・・・遷移判断部，
３７６・・・送信結果表示部，
３８・・・送信履歴表示処理部，
３８０・・・送信結果画面記憶処理部，
３８２・・・送信結果画面記憶部，
３８４・・・送信履歴生成部，
３８６・・・送信結果画面追加処理部，
３８８・・・送信履歴画面ＤＢ，
３９０・・・送信履歴画面表示部，
４０・・・画像処理プログラム，
４６・・・画像データ送信処理部，
４７４・・・使用可能状態判断部，
４８・・・送信履歴表示処理部，
４８０・・・送信結果画面記憶処理部，
４９０・・・送信履歴画面表示部，
【図１】
0005831695.tif 000002
【図２】
0005831695.tif 000003
【図３】
0005831695.tif 000004
【図４】
0005831695.tif 000005
【図５】
0005831695.tif 000006
【図６】
0005831695.tif 000007
【図７】
0005831695.tif 000008
【図８】
0005831695.tif 000009
【図９】
0005831695.tif 000010
【図１０】
0005831695.tif 000011
【図１１】
0005831695.tif 000012
【図１２】
0005831695.tif 000013
【図１３】
0005831695.tif 000014
【図１４】
0005831695.tif 000015
【図１５】
0005831695.tif 000016
【図１６】
0005831695.tif 000017
【図１７】
0005831695.tif 000018
【図１８】
0005831695.tif 000019
【図１９】
0005831695.tif 000020
【図２０】
0005831695.tif 000021
【図２１】
0005831695.tif 000022
【図２２】
0005831695.tif 000023